(57)【要約】【課題】簡単に建物の壁に施工でき、屋内側と屋外側を連結する換気経路を形成する換気用スリーブを提供する。【解決手段】ともに円筒形であって端部にフランジ（第１フランジ６ｂ、第２フランジ７ｂ）を形成した、第１スリーブ６と第２スリーブ７とで構成され、前記第１スリーブ６の円筒外周面にねじ部を形成するとともに、前記第２スリーブ７の円筒内周面に前記ねじ部６ｃに螺合するねじ７ｃ部を形成した構成により、第１スリーブ６と第２スリーブ７を螺合していくと第２スリーブ７の内側に第１スリーブ６が挿入されていくので、パイプを切断することなく屋内側と屋外側を連通する換気経路が形成される。【選択図】図２
2012002434.tif 000002
【特許請求の範囲】
【請求項１】
ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成した換気用スリーブ。
【請求項２】
前記第１スリーブ、前記第２スリーブの少なくとも一方のスリーブのフランジ側に、手でスリーブを回転させる取っ手を設けた請求項１に記載の換気用スリーブ。
【請求項３】
第１スリーブもしくは第２スリーブのどちらかのねじ部を、先端部分の数山で形成するようにした請求項１または２に記載の換気用スリーブ。
【請求項４】
前記第２スリーブに設けたねじ部のねじ山を、軸方向から見た場合にねじ部が重ならないようにねじ山が欠けた不連続なねじとした請求項３に記載の換気用スリーブ。
【請求項５】
第１スリーブ、第２スリーブのそれぞれのスリーブ部端部に、それぞれのねじ山の開始位置が一致するマークを設けた請求項１に記載の換気用スリーブ。
【請求項６】
第１スリーブもしくは第２スリーブのどちらか屋外側となるスリーブのフランジ部にスリーブの軸を円心に円形溝を設けた請求項１〜５いずれか一つに記載の換気用スリーブ。
【請求項７】
前記円形溝を設けた第２スリーブのフランジ部に切り込みを設けた請求項６に記載の換気用スリーブ。
【請求項８】
第１スリーブもしくは第２スリーブのどちらか屋外側となるスリーブのフランジに、屋外側に突出する円環部を設け、
この円環部に係合する鍔部を設けて回動可能とした屋外フードを設けた請求項１〜７いずれか一つに記載の換気用スリーブ。
【請求項９】
前記屋外フードの鍔部に壁面から突出した水切り部を設けた請求項８に記載の換気用スリーブ。
【請求項１０】
前記屋外フード、又は前記屋外フードと前記第２スリーブを金属製とした請求項８または９に記載の換気用スリーブ。
【請求項１１】
第１スリーブを壁に開口した換気口の屋内側に配置し、第１スリーブと第２スリーブの内周面の下部が屋外側に向かい下り勾配となる傾斜を設けた請求項１〜１０いずれか一つに記載の換気用スリーブ。
【請求項１２】
第１スリーブのフランジ側の円筒外周に孔用リブを設けた請求項１〜１１いずれか一つに記載の換気用スリーブ。
【請求項１３】
前記孔用リブは、フランジ側に切り込みを設けた請求項１２に記載の換気用スリーブ。
【発明の詳細な説明】
【技術分野】
【０００１】
本発明は、建物の壁に施工され、屋内側と屋外側を連通する換気経路を形成する換気用スリーブに関するものである。
【背景技術】
【０００２】
例えば、この種の換気用スリーブは次のような構成となっていた。
【０００３】
即ち、硬質塩化ビニル管等の樹脂管の一端に略垂直方向に張出したフランジ部を備えた通気パイプとこのパイプに挿入される気密ラバーで構成されている。そして、この施工方法は、建物の壁に開口した換気口にこの通気パイプを挿入し、フランジ部を壁に固定してから、反対側から気密ラバーを挿入して換気用のスリーブとしていた（特許文献１参照）。
【先行技術文献】
【特許文献】
【０００４】
【特許文献１】特開平９―１７７２９９号公報
【発明の概要】
【発明が解決しようとする課題】
【０００５】
このような換気用スリーブで問題となるのは、壁の厚みに合わせてスリーブの長さを調節しなければならないということである。すなわち、壁の厚みはそれぞれの建物によって異なり、また建物でも壁の場所によって厚みが異なることがある。従って、施工部分の換気口の壁の厚みを測定してパイプを事前に切断しておくか、一端のフランジ部を固定したのち他方で壁から突き出したパイプを切断しなければならない。
【０００６】
そこで本発明は、上記従来の課題を解決するものであり、パイプ切断の工数を削減し、簡単に建物の壁に施工できる、屋内側と屋外側を連通する換気経路を形成する換気用スリーブを提供するものである。
【課題を解決するための手段】
【０００７】
そして、この目的を解決するために、本発明は、ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成したものであり、これにより所期の目的を達成するものである。
【発明の効果】
【０００８】
本発明によれば、端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成したことにより、第１スリーブと第２スリーブを螺合していくと第２スリーブの内側にスリーブが挿入されていくので、パイプを切断することなく屋内側と屋外側を連通する換気経路が形成され、換気用スリーブを簡単に建物の壁に施工することができるという効果を得ることができる。
【図面の簡単な説明】
【０００９】
【図１】本発明の第１の実施の形態の換気装置の斜視図
【図２】同換気装置の分解斜視図
【図３】同換気装置の断面図
【図４】同換気装置の第２スリーブの円筒部を示す斜視図
【図５】本発明の第２の実施の形態の換気装置の断面図
【図６】本発明の第３の実施の形態の換気装置の斜視図
【図７】同換気装置の断面図
【発明を実施するための形態】
【００１０】
本発明の請求項１記載の換気用スリーブは、ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成した構成を有する。これにより、第１スリーブと第２スリーブを螺合していくと第２スリーブの内側にスリーブが挿入され、屋内側と屋外側を連通する換気経路が形成され、換気用スリーブを簡単に建物の壁に施工することができるという効果を奏する。
【００１１】
また、前記第１スリーブ、前記第２スリーブの少なくとも一方のスリーブのフランジ側に、手でスリーブを回転させる取っ手を設けた構成を有する。これにより、第１スリーブと第２スリーブを螺合する際に取っ手を保持してスリーブを回転させることができるので、簡単に換気用スリーブを換気口に施工することができ、換気用スリーブを簡単に建物の壁に施工することができるという効果を奏する。
【００１２】
また、第１スリーブもしくは第２スリーブのどちらかのねじ部を、先端部分の数山で形成するようにした構成を有する。これにより、第１スリーブと第２スリーブは常に螺合するねじ部の長さが同じであるため回動させる力が一定となり、換気用スリーブを簡単に建物の壁に施工することができるという効果を奏する。
【００１３】
また、前記第２スリーブに設けたねじ部のねじ山は、軸方向から見た場合にねじ部が重ならないようにねじ山が欠けた不連続なねじとした構成を有する。これにより、内筒側のねじを成形する成形する金型はスライド構造を設けず作成することができ、簡単な金型で第２スリーブを成形することができ、換気用スリーブを簡単に建物の壁に施工することができるという効果を奏する。
【００１４】
また、第１スリーブ、第２スリーブのそれぞれのスリーブ部端部に、それぞれのねじ山の開始位置が一致するマークを設けた構成を有する。これにより、第１スリーブのスリーブ部端部の第１マークと第２スリーブのスリーブ部端部の第２マークをあわせ、そしてスリーブを回転させればそれぞれのねじがスムーズに螺合していくので、簡単に換気用スリーブを換気口に施工することができ、換気用スリーブを簡単に建物の壁に施工することができるという効果を奏する。
【００１５】
また、第１スリーブもしくは第２スリーブのどちらか屋外側となるスリーブのフランジ部にスリーブの軸を円心とする円形溝を設けた構成を有する。これにより、壁に開口した換気口にその開口作業時にはつれ部分が生じても、その部分が小さければ円形溝に沿ってフランジの大きさを変更することができて、最小面積のフランジで覆うことができ、換気用スリーブを簡単に建物の壁に施工することができるという効果を奏する。
【００１６】
また、前記円形溝を設けたフランジ部に、前記円形溝と外周側を接続する切り込みを設けた構成を有する。これにより、屋外側のフランジの大きさを変更する作業を行う際、簡単に円形溝を沿ってフランジを切断することができ、換気用スリーブを簡単に建物の壁に施工することができるという効果を奏する。
【００１７】
また、第１スリーブもしくは第２スリーブのどちらか屋外側となるスリーブのフランジに、屋外側に突出する円環部を設け、この円環部に係合し、回動可能な屋外フードを設けた構成を有する。これにより、換気用スリーブを換気口に施工したあと、屋外フードを屋外側の壁面にあるフランジに係合すれば、屋外フードが雨を遮り、屋外からの雨水が換気用スリーブ内に浸入することを防止することができ、換気用スリーブを簡単に建物の壁に施工することができるという効果を奏する。
【００１８】
また、前記屋外フードの鍔部に壁面から突出した水切り部を設けた構成を有する。これにより、この水切り部が下側に位置するように施工すると、屋外フードを伝う雨水が水切部へと伝い、壁面から離れて滴下することになるので、汚れた水による壁面の汚れを低減する、換気用スリーブを簡単に建物の壁に施工することができるという効果を奏する。
【００１９】
また、屋外フード、又は屋外フードと屋外側のスリーブを金属製とした構成を有する。これにより、紫外線による強度劣化を防止され、また施工時のねじ締めなど外的負荷に対する強度が向上し、換気用スリーブを簡単に建物の壁に施工することができるという効果を奏する。
【００２０】
また、第１スリーブを壁に開口した換気口の屋内側に配置し、第１スリーブと第２スリーブの内周面の下部が屋外側に向かい下り勾配となる傾斜を設けた構成を有する。これにより、屋内側又は屋外側から第１スリーブ内に侵入した水は室外側に向かい下り勾配となる傾斜により、第１スリーブ端部から第２スリーブ内に流れ、さらに第２スリーブでも設けた勾配により屋外側に向かい下り勾配となる傾斜により、第２スリーブ端部から屋外へ排水され、換気用スリーブを簡単に建物の壁に施工することができるという効果を奏する。
【００２１】
また、第１スリーブのフランジ側の円筒外周に孔用リブを設けた構成を有する。これにより、第１スリーブを挿入する際に、壁に開口した換気口に孔用リブが当たって第１スリーブが位置決めされ、円筒部が換気口の中央に位置してその周囲に第２スリーブを螺合するための隙間を確保することができ、換気用スリーブを簡単に建物の壁に施工することができるという効果を奏する。
【００２２】
また、前記孔用リブは、フランジ側に切り込みを設けた構成を有する。これにより、孔用リブの外周側は折ったり、切り取って、その外周側の頂点と第１円筒部の中心軸からの距離を変えることができる。従って、建物の壁に設けた換気口となる孔の開口寸法に多少狂いが生じてもガタツキのない換気用スリーブの施工が可能となる効果を奏する。
【００２３】
以下、本発明の実施の形態について図面を参照しながら説明する。
【００２４】
（実施の形態１）
図１に示すように、建物の壁１に換気口となる孔２が開口されており、屋内３と屋外４はこの孔２により連通している。そして、この孔２に換気用スリーブ５が施工されている。
【００２５】
図２、図３、図４に示すように、この換気用スリーブ５は、第１円筒部６ａの端部に第１フランジ６ｂを形成した第１スリーブ６と、第２円筒部７ａと第２フランジ７ｂとで構成される第２スリーブ７とで構成される。この実施の形態では、第２スリーブ７を屋外側に設けている。そして、屋外側となる第２フランジ７ｂには、屋外側に向けて突出する円環部８を形成するとともに取っ手９を形成している。
【００２６】
前記第１円筒部６ａの外周面には、ねじ部６ｃが形成されるとともに、第２円筒部７ａの内周面にはねじ部７ｃが形成されている。このねじ部６ｃとねじ部７ｃは螺合し、前記第１スリーブ６が内側、第２スリーブ７が外側となる。ねじ部６ｃは、第１円筒部６ａ外周面に長さＬ１に渡って形成されるが、ねじ部７ｃは、第２円筒部７ａの内周面の一端部に１〜５ねじ山ピッチ程度のねじ部長さＬ２に形成される。
【００２７】
前記ねじ部７ｃを形成するねじ山１０は、第２円筒部７ａの軸１１方向から見た場合にねじ山１０同士が重ならないように欠けていて、ねじ山１０ａ、１０ｂ・・と不連続となっている。
【００２８】
前記第１スリーブ６の第１円筒部６ａのねじ山開始位置と、第２スリーブ７の第２円筒部７ａのねじ山１０開始位置が一致する位置には、第１マーク１２と第２マーク１３を一致させて設ける。
【００２９】
前記第１円筒部６ａの内周部はなだらかな円錐形状であり、下部１４は屋外側に向かい下り勾配θの傾斜を有する。同様に、第２円筒部７ａの内周部もなだらかな円錐形状であり、屋外側に向かい下り勾配θ同等の傾斜を有する。
【００３０】
前記第１フランジ６ｂ側の外周には孔用リブ１５を設ける。この孔用リブ１５は第１円筒部６ａの外周にほぼ均等に数箇所形成され、孔用リブ１５の外周寸法Ｄ１は、第２円筒部７ａの外周寸法Ｄ２よりも大きい。また、第１フランジ６ｂには壁１にねじ止めするためのねじ孔１６が設けてある。
【００３１】
このような構成の換気用スリーブ５の施工について説明する。まず、前記第１スリーブ６を屋内側から挿入し、そして、第２スリーブ７は屋外から挿入する。このとき、第２スリーブ７の第２マーク１３を第１スリーブ６の第１マーク１２と一致するように挿入し、取っ手９を使って第２スリーブ７を回転させる。そうすると、第２円筒部７ａのねじ山１０の開始位置と第１円筒部６ａのねじ山開始位置が一致し、回転とともに螺合する。すなわち、第２マーク１３と第１マーク１２はねじの位置を合わせるもので、空回りさせることなく螺合させることができる。第１円筒部６ａの外周と孔２の内周面との間には、孔用リブ１５の高さ分の空間部が形成されている。そして、第２スリーブ７の回転を続けると、第１円筒部６ａの外周と孔２の内周面との間の空間部に、第２スリーブ７が挿入されていくことになる。すなわち、第２スリーブ７が孔２に当たることなく収納されていく。第２フランジ７ｂが壁１にあたって保持されると、屋内３側と屋外４側を連通する換気経路が形成され、換気用スリーブを簡単に建物の壁に施工することができる。
【００３２】
なお、取っ手９は、円環部８に数本の角柱を突き出すようにして形成したが、円柱状でもよく、第２スリーブ７が手で回転させやすいものであれば構わない。また、第２スリーブ７に嵌合する回転冶具を別品とし用意し、この回転冶具を第２スリーブ７に嵌めて回転させるようにしてもよい。
【００３３】
第１スリーブ６と第２スリーブ７の長さは一般的に想定される壁厚みのうち最も薄い壁の幅寸法にあわせて施工できるように設定すればよい。そうすると、それよりも厚い壁であっても第２スリーブ７が螺合できる範囲までの厚みに対応できる。具体的には、第１スリーブ６、第２スリーブ７の寸法（円筒部の長さ）を９０ｍｍ程度とすると、１００〜１５０ｍｍの壁厚に対応できる。
【００３４】
第１スリーブ６と第２スリーブ７の長さ寸法は同じにしなくても構わないが、壁厚に対応できる範囲は少なくなる。しかし、薄い壁に設置されるケースが少ないと判断できれば、第１スリーブ６の長さは一般的に想定される壁厚みのうち最も薄い壁の幅寸法よりも長くしておき、第２スリーブ７の長さ寸法をその壁厚とほぼ同じにしておくとよい。数少ない薄い壁に施工する場合は、現場で第１スリーブ６を切断すれば同じように施工することができる。
【００３５】
また、第２スリーブ７のねじ部７ｃの長さＬ２は第２円筒部７ａの内周面の一端部に１〜５ねじ山ピッチ程度で形成されている。したがって、第１スリーブ６の第１円筒部６ａ外周面に長さＬ１に渡って形成されたねじ部６ｃの範囲で第２スリーブ７は移動するが、螺合するねじ部の長さが同じであるため回動させる力が一定であり、施工性がよい。
【００３６】
また、ねじ部７ｃを形成するねじ山１０は、ねじ山１０ａ、１０ｂ・・と不連続なねじ部で形成し、軸１１方向から見た場合にねじ部７ｃのねじ山１０ａ、１０ｂ・・が重ならないので、第２円筒部７ａを金型で成形する場合には、金型のスライド方向を軸１１方向にすれば、たとえばスライドコアーなどの複雑な金型構成を講じる必要もなく、安価に第２円筒部７ａを成形することができる。
【００３７】
また、上記構成において、前記第１円筒部６ａの内周部の下部１４は屋外側に向かい下り勾配θの傾斜を有し、同様に、第２スリーブ７の第２円筒部７ａの内周部も屋外側に向かい下り勾配θ同等の傾斜を有する。これにより、屋内３側又は屋外４側から第１スリーブ６内に侵入した水は、第１スリーブ６端部から第２スリーブ７内に流れる。さらに、第２スリーブ７の第２円筒部７ａの内周部に設けられた勾配により、第２スリーブ端部から屋外へ排水されることになる。
【００３８】
また、壁１に開口された換気口となる孔２の孔径は孔用リブ１５の外周寸法Ｄ１である。本実施の形態では、屋内側から第１スリーブ６を孔２に挿入し、第１フランジ６ｂに設けたねじ孔１６を使い、ねじ（図省略）で第１フランジ６ｂを壁１に固定する。この状態で、第１スリーブ６の第１円筒部６ａはその外周に数箇所形成された孔用リブ１５により、孔２の一方に偏ることなく、ほぼ孔２の中央部に位置する。つまり、第１円筒部６ａの外周と孔２には孔用リブ１５の高さ分の空間が形成されていることになる。
【００３９】
なお、この孔用リブ１５の第１フランジ６ｂ側に切り込み（切込２４）を設け、孔用リブ１５の径方向の高さを調整できるようにすると良い。すなわち、孔用リブ１５は、第１フランジ６ｂと第１円筒部６ａと接するように設けられているが、第１フランジ６ｂと接する部分に外周方向から切込２４を入れておく。このような構成であれば、孔用リブ１５の外周側は折ったり、切り取って、その外周側の頂点と第１円筒部６ａの中心軸からの距離を変えることができる。従って、建物の壁１に設けた孔２の開口寸法に多少狂いが生じてもガタツキの無い換気用スリーブ５の施工が可能となる。
【００４０】
（実施の形態２）
図５に示すように、建物の壁１に換気口となる孔２が開口されており、屋内３と屋外４はこの孔２により連通している。そして、この孔２に換気用スリーブ５が施工されている。
【００４１】
この換気用スリーブ５は、第１円筒部１８ａの端部に第１フランジ１８ｂを形成した第１スリーブ１８と、第２円筒部１９ａと第２フランジ１９ｂとで構成される第２スリーブ１９とで構成される。そして、第１円筒部１８ａの内周面にはねじ部１８ｃが形成されるとともに、第２円筒部１９ａの外周面にはねじ部１９ｃが形成されている。このねじ部１８ｃとねじ部１９ｃは螺合し、第１スリーブ６が外側、第２スリーブ７が内側の２重となった換気用スリーブ５が構成される。また、第１フランジ１８ｂはねじ２２により壁１に固定されている。
【００４２】
上記構成において、第１円筒部１８ａの外径Ｄ３に合わせて壁１に換気口となる孔２をあけ、第１フランジ１８ｂを壁１にねじ２２により固定する。このようにすれば、第１円筒部１８ａの外径Ｄ３より第２円筒部１９ａの外径Ｄ４は小さいので、第１フランジ１８ｂを固定する壁面の反対側の壁面から簡単に第２スリーブ１９を施工することができる。すなわち、換気用スリーブ５を簡単に建物の壁に施工することができるという効果を奏する。さらに、第１スリーブ１８を壁に固定する際に孔２から塵埃やコンクリ粒などの落下物が発生しても、ねじ部１８ｃが第１円筒部１８ａで覆われているため、落下物がねじ部１８ｃに付着しないので、第２スリーブ１９の第２円筒部１９ａのねじ部１９ｃを螺合していくときに落下物による支障が発生しにくくなるという効果を奏する。
【００４３】
（実施の形態３）
図６、図７において、図２および図３と同様の構成要素については同一の符号を付し、その詳細な説明は省略する。
【００４４】
図６に示すように、第２フランジ７ｂに第２円筒部７ａの中心軸を円心とする円形溝２３を設ける。さらに、第２フランジ７ｂの外周側と円形溝２３とを接続するように、切り込み２４を設けている。
【００４５】
図７に示すように、屋外側となる第２フランジ７ｂには、屋外側に向けて突出する円環部８が設けられている。また、屋外フード２５は、円環部８とほぼ大きさが同じ鍔部２６を有し、鍔部２６の中央には開口２７が設けられている。この開口２７は、格子状の網、あるいは、格子状の桟が設けられている。さらに、この開口２７は丸型カバー部２８で屋外４側が覆われ、水平方向の開口２７と垂直方向の下部開口部２９が連通している。
【００４６】
また、鍔部２６には、円心方向に向かって突出した屋外フード嵌合爪３０が設けられている。そして、円環部８の外周側には、屋外フード嵌合爪３０を係合するためのフード用溝３１が設けられている。
【００４７】
上記構成において、第２スリーブ７を回転させて、第２円筒部７ａの内側に第１スリーブ６が挿入され、第２スリーブ７が壁１にあたって保持されると屋内側と屋外側を連通する換気経路が形成される。そして、第２フランジ７ｂは、この壁に開口した換気口を隠して覆う機能を有するが、はつれ部分が小さいときには、円形溝２３に沿って第２フランジ７ｂの大きさを小さくすることができる。すなわち、最小面積の第２フランジ７ｂで覆うことができる。なお、第２フランジ７ｂの外周と円形溝２３を接続する切り込み２４は、円形溝２３を切断するときのガイドとなるため、第２フランジ７ｂを簡単に切断することができる。
【００４８】
また、円環部８の外周に、屋外フード２５の鍔部２６引掛けるように取り付けることで、屋外フード２５は、第２円筒部７ａの開口部の周囲に回転可能となる。従って、第２スリーブ７を固定したときにどの位置で固定されても、屋外フード２５を所望の位置に固定することができる。すなわち、下部開口部２９が下向きに開口しているので、丸型カバー部２８が雨を遮り、屋外４からの雨水が換気用スリーブ５内に浸入することを防止することができる。
【００４９】
また、屋外フードの鍔部２６に壁面から突出した水切り部３２は下側に位置するように施工されるので、屋外フード２５の鍔部２６を伝う雨水は水切り部３２へと伝って流れ、壁１面から離れた水切り部３２の最下部から滴下することになるので、第２フランジ７ｂの下側を集中して雨水が流れることによる壁面の汚れを低減する効果を奏する。
【００５０】
また、屋外４に露出する屋外フード２５、又は屋外フード２５と第２スリーブ７を鉄製で作成すると紫外線による材料の劣化をより軽減することができ、耐候性が向上するもので、本実施の形態の屋外フード２５と第２スリーブ７は、金属製であっても簡単に作成することができる。
【産業上の利用可能性】
【００５１】
本発明によれば、ともに円筒形であって端部にフランジを形成した、第１スリーブと第２スリーブとで構成され、前記第１スリーブの円筒外周面にねじ部を形成するとともに、前記第２スリーブの円筒内周面に前記ねじ部に螺合するねじ部を形成した構成により、第１スリーブと第２スリーブを螺合していくと第２スリーブの内側にスリーブが挿入されていくので、パイプを切断することなく屋内側と屋外側を連通する換気経路が形成され、換気用スリーブを簡単に建物の壁に施工することができるという効果を得ることができるので、壁を貫通する換気装置のみならず、空気調和機などのダクト施工、配管施工に用いることができる。
【符号の説明】
【００５２】
１      壁
３      屋内
４      屋外
５      換気用スリーブ
６      第１スリーブ
６ａ    第１円筒部
６ｂ    第１フランジ
６ｃ    ねじ部
７      第２スリーブ
７ａ    第２円筒部
７ｂ    第２フランジ
７ｃ    ねじ部
８      円環部
９      取っ手
１２    第１マーク
１３    第２マーク
１４    下部
１５    孔用リブ
１６    ねじ孔
１８    第１スリーブ
１８ａ  第１円筒部
１８ｂ  第１フランジ
１８ｃ  ねじ部
１９    第２スリーブ
１９ａ  第２円筒部
１９ｂ  第２フランジ
１９ｃ  ねじ部
２３    円形溝
２４    切込
２５    屋外フード
３１    フード用溝
３２    水切り部
【図１】
2012002434.tif 000003
【図２】
2012002434.tif 000004
【図３】
2012002434.tif 000005
【図４】
2012002434.tif 000006
【図５】
2012002434.tif 000007
【図６】
2012002434.tif 000008
【図７】
2012002434.tif 000009